(57)【要約】【課題】本発明は、受信装置及び受信装置のＩＦ帯域切り換え方法に関し、例えばＲＤＳを受信可能なカーラジオに適用して、放送波の誤選局を有効に回避して、短時間で放送波を選局することができるようにする。【解決手段】本発明は、放送波を受信している場合に比して、狭帯域から広帯域に短時間でＩＦ帯域を切り換える。【選択図】        図１
2004363992.tif 000002
【特許請求の範囲】
【請求項１】
ノイズの混入をトリガにして中間周波増幅回路の通過帯域幅を広帯域から狭帯域に切り換えて放送波を受信する受信装置において、
前記通過帯域幅を狭帯域から広帯域へ戻す場合に比して、前記通過帯域幅の広帯域から狭帯域への切り換えを短時間により実行するように設定して放送波を受信し、
受信周波数を可変して放送波を選局する処理においては、前記放送波を受信している場合に比して、前記通過帯域幅を狭帯域から広帯域へ戻す時間を短時間により実行するように設定して放送波を選局する
ことを特徴とする受信装置。
【請求項２】
前記受信周波数を可変して放送波を選局する処理が、それまで受信している放送波に隣接する放送波を選局する処理である
ことを特徴とする請求項１に記載の受信装置。
【請求項３】
前記受信周波数を可変して放送波を選局する処理が、受信可能な周波数帯域で受信周波数を可変して、放送波を順次選局する処理である
ことを特徴とする請求項１に記載の受信装置。
【請求項４】
前記受信周波数を可変して放送波を選局する処理が、受信可能な周波数帯域で受信周波数を可変して、放送波を順次選局し、該放送波の受信周波数をメモリに記録する処理である
ことを特徴とする請求項１に記載の受信装置。
【請求項５】
前記受信周波数を可変して放送波を選局する処理が、同一のデータ放送に係る放送波を選局する処理である
ことを特徴とする請求項１に記載の受信装置。
【請求項６】
ノイズの混入をトリガにして中間周波増幅回路の通過帯域幅を広帯域から狭帯域に切り換えて放送波を受信する受信装置のＩＦ帯域切り換え方法において、
前記通過帯域幅を狭帯域から広帯域へ戻す場合に比して、前記通過帯域幅の広帯域から狭帯域への切り換えを短時間により実行するように設定して放送波を受信し、
受信周波数を可変して放送波を選局する処理においては、前記放送波を受信している場合に比して、前記通過帯域幅を狭帯域から広帯域へ戻す時間を短時間により実行するように設定して放送波を選局する
ことを特徴とする受信装置のＩＦ帯域切り換え方法。
【発明の詳細な説明】
【０００１】
【発明の属する技術分野】
本発明は、受信装置及び受信装置のＩＦ帯域切り換え方法に関し、例えばＲＤＳ（Ｒａｄｉｏ  Ｄａｔａ  Ｓｙｓｔｅｍ  ）によるデータ放送を受信可能なカーラジオに適用することができる。本発明は、放送波を受信している場合に比して、狭帯域から広帯域に短時間でＩＦ帯域を切り換えることにより、放送波の誤選局を有効に回避して、短時間で放送波を選局することができるようにする。
【０００２】
【従来の技術】
ＦＭ放送等の受信装置では、中間周波増幅回路の通過帯域であるＩＦ帯域を狭帯域化すると、隣接妨害によるノイズの混入を防止し得る反面、放送波の変調度が深くなると歪みが発生する。これにより従来、カーラジオにおいては、ＩＦ帯域を広帯域化して放送波を受信し、隣接妨害によるノイズが検出されると、一時的にＩＦ帯域を狭帯域化してノイズの発生を防止するものが提供されるようになされている。
【０００３】
またカーラジオにおいては、このようなＩＦ帯域の切り換えに時定数回路を設け、この時定数回路の設定により、ＩＦ帯域を広帯域化した場合にはノイズの混入により即座にＩＦ帯域を狭帯域化するようになされ、また一旦、ＩＦ帯域を狭帯域化すると一定の時間経過によりＩＦ帯域を元の広帯域に戻すようになされ、これにより帯域切り換えの頻度を低下させて聴感の劣化を防止するようになされている。
【０００４】
さらにこの種の受信装置においては、放送波を自動的に選局する自動選局の機能が設けられ、これによりユーザーの使い勝手を向上するようになされている。具体的に、このような自動選局の機能に係る処理のうち、いわゆるシークの処理においては、受信周波数を可変して自動的に放送波を選局する処理であり、これによりカーラジオでは、移動により放送波の受信状態が劣化した場合等に、簡易な操作により受信対象の放送波を切り換えることができるようになされている。
【０００５】
またＲＤＳに係るデータ放送の受信においては、この種の自動選局の機能に係る処理の１つとして、同一のデータ放送に係る放送局の受信を試み、この放送局と現在受信中の放送局との受信状態の比較により受信対象の放送波を受信状態のよい放送波に切り換えるようになされている。
【０００６】
このような自動選局に係る処理において、この種の受信装置においては、中間周波数増幅回路の出力信号をシグナルメーター回路で処理することにより、受信周波数における電界強度を検出し、この検出結果に基づいて受信状態を判断するようになされている（以下、シグナルメーターによる受信状態の判断と呼ぶ）。またこのような放送波の検出においては、他に、検波出力に含まれるノイズレベルにより、受信状態を判断する方法も採用されるようになされている。
【０００７】
具体的に、シークの処理においては、シグナルメーターによる受信状態の判断により放送波を選局し、さらに中間周波増幅回路出力を周波数カウントすることにより、隣接妨害等による放送波の誤選局を防止するようになされている。これに対してＲＤＳにおいては、シグナルメーターによる受信状態の判断により放送波を選択するようになされている。
【０００８】
従来、カーラジオにおいては、このような自動選局時、通常の放送波の受信時と同様にＩＦ帯域の切り換えに係る時定数を設定するようになされている。これに対してＩＦ帯域の設定に関しては、例えば実開昭５５−１３５５５１号公報に、選局時、ＩＦ帯域を狭帯域化することにより、選局の精度を向上する方法が提案されるようになされている。
【０００９】
【特許文献１】
実開昭５５−１３５５５１号公報
【００１０】
【発明が解決しようとする課題】
ところでこのような自動選局においては、短い時間により処理することが求められ、このためにはＩＦ帯域を狭帯域又は広帯域に固定して選局することが考えられる。具体的に、１局の選局動作は、２０〔ｍｓｅｃ〕以内が望まれる。
【００１１】
しかしながらＩＦ帯域を狭帯域に設定した場合、放送波の帯域よりＩＦ帯域が狭くなることにより、シグナルメーターによる受信状態の判断では、実際の受信状態より電界強度が弱く検出される。またＩＦ帯域を広帯域に設定した場合、隣接妨害に係る放送波がノイズとして中間周波帯域に混入することにより、シグナルメーターによる受信状態の判断では、実際の受信状態より電界強度が強く検出される場合がある。
【００１２】
これにより従来の受信装置においては、自動選局の処理時間を短くすると、放送波を誤選局する問題があり、受信状態の劣る放送波を選局したり、またこれとは逆に受信状態のよい放送波を選局できない場合があった。
【００１３】
本発明は以上の点を考慮してなされたもので、放送波の誤選局を有効に回避して、短時間で放送波を選局することができる受信装置及び受信装置のＩＦ帯域切り換え方法を提案しようとするものである。
【００１４】
【課題を解決するための手段】
かかる課題を解決するため請求項１の発明においては、ノイズの混入をトリガにして中間周波増幅回路の通過帯域幅を広帯域から狭帯域に切り換えて放送波を受信する受信装置に適用して、通過帯域幅を狭帯域から広帯域へ戻す場合に比して、通過帯域幅の広帯域から狭帯域への切り換えを短時間により実行するように設定して放送波を受信し、受信周波数を可変して放送波を選局する処理においては、放送波を受信している場合に比して、通過帯域幅を狭帯域から広帯域へ戻す時間を短時間により実行するように設定して放送波を選局する。
【００１５】
また請求項６の発明においては、ノイズの混入をトリガにして中間周波増幅回路の通過帯域幅を広帯域から狭帯域に切り換えて放送波を受信する受信装置のＩＦ帯域切り換え方法に適用して、通過帯域幅を狭帯域から広帯域へ戻す場合に比して、通過帯域幅の広帯域から狭帯域への切り換えを短時間により実行するように設定して放送波を受信し、受信周波数を可変して放送波を選局する処理においては、放送波を受信している場合に比して、通過帯域幅を狭帯域から広帯域へ戻す時間を短時間により実行するように設定して放送波を選局する。
【００１６】
請求項１の構成により、ノイズの混入をトリガにして中間周波増幅回路の通過帯域幅を広帯域から狭帯域に切り換えて放送波を受信する受信装置に適用して、通過帯域幅を狭帯域から広帯域へ戻す場合に比して、通過帯域幅の広帯域から狭帯域への切り換えを短時間により実行するように設定して放送波を受信し、受信周波数を可変して放送波を選局する処理においては、放送波を受信している場合に比して、通過帯域幅を狭帯域から広帯域へ戻す時間を短時間により実行するように設定して放送波を選局すれば、いわゆる自動選局においてＩＦ帯域の切り換えを短時間で実行できることにより、自動選局において、適宜ＩＦ帯域を切り換えるようにして放送波の誤選局を有効に回避するようにしても、短時間により処理を実行し得、これにより放送波の誤選局を有効に回避して、短時間で放送波を選局することができる。
【００１７】
これにより請求項６の構成によれば、放送波の誤選局を有効に回避して、短時間で放送波を選局することができる受信装置のＩＦ帯域切り換え方法を提供することができる。
【００１８】
【発明の実施の形態】
以下、適宜図面を参照しながら本発明の実施の形態を詳述する。
【００１９】
（１）実施の形態の構成
図２は、本発明の実施の形態に係るカーラジオを示すブロック図である。このカーラジオ１において、フロントエンド２は、マイコン４の制御により、アンテナ３から入力される高周波信号より所定周波数帯域の高周波信号を選択し、この高周波信号を中間周波信号に変換して出力する。これによりカーラジオ１では、マイコン４により指示された放送波を受信できるようになされている。
【００２０】
カーラジオ１において、中間周波増幅回路（ＩＦ）５は、このフロントエンド２から出力される中間周波信号を所定利得で増幅して出力する。この処理において、中間周波増幅回路５は、内蔵又は外付けのディジタルフィルタによりこの中間周波信号を帯域制限する。またＩＦ帯域制御回路１２の制御により、このフィルタの特性を切り換え、これによりＩＦ帯域の帯域幅を切り換える。中間周波増幅回路５は、この切り換えに係る帯域幅が、放送波の周波数帯域をほぼ通過帯域幅に設定してなる歪みなく放送波を受信できる広帯域と、放送波の周波数帯域より狭い周波数帯域を通過帯域幅に設定してなる狭帯域とに設定され、これにより必要に応じてＩＦ帯域を広帯域から狭帯域に切り換えて、隣接妨害によるノイズの混入を防止できるようになされている。
【００２１】
検波回路（ＤＥＴ）７は、この中間周波増幅回路５から出力される中間周波信号を検波して検波結果を出力する。
【００２２】
信号処理回路８は、検波回路７から出力される検波結果を処理することにより右及び左チャンネルのオーディオ信号を生成し、このオーディオ信号を出力する。この処理において信号処理回路８は、マイコン４の制御によりオーディオ信号の音量、音質を可変し、さらにはオーディオ出力をミューティングするようになされている。
【００２３】
増幅回路９は、この信号処理回路８から出力されるオーディオ信号によりスピーカ１０を駆動し、これによりこのカーラジオ１では放送波を受信して音楽等を試聴できるようになされている。
【００２４】
ＲＤＳデコーダ１１は、検波回路７から出力される検波結果を処理することにより、ＲＤＳのデータ放送に係る各種データを再生してマイコン４に通知する。これによりこのカーラジオ１では、各種の交通情報等を取得できるようになされ、さらに同一の交通情報等を提供している他の放送波の周波数を検出できるようになされている。
【００２５】
このような放送波の一連の処理系において、シグナルメーター回路（Ｓメーター）１５は、中間周波信号の信号レベルを検出し、この信号レベル検出結果によりフロントエンド２、中間周波増幅回路５の利得を制御し、これにより自動利得制御回路により中間周波信号の信号レベルを所定の信号レベルに保持する。またシグナルメーター回路１５は、この信号レベルの検出結果をシグナルメーターによる受信状態の判断基準としてマイコン４に出力し、これによりマイコン４においてシグナルメーターにより受信状態を判断できるようになされている。
【００２６】
これに対してＩＦカウント回路１６は、中間周波信号の周波数をカウントしてマイコン４に通知し、これによりマイコン４においてこのカウント値に基づいて正しく放送波を受信できているか否か判断できるようになされている。
【００２７】
品質検出回路１７は、検波回路７による検波結果を入力してマルチパス、隣接妨害等を判定することにより、受信してなる放送波の受信品質を判定し、判定結果をマイコン４に出力する。
【００２８】
ＩＦ帯域制御回路１２は、例えば中間周波増幅回路５に入力される中間周波信号のエンベロープの監視等により、中間周波信号へのノイズの混入を監視する。ＩＦ帯域制御回路１２は、この監視によるノイズの検出をトリガにして中間周波増幅回路５のＩＦ帯域を狭帯域に切り換える。この処理において、ＩＦ帯域制御回路１２は、時定数回路１３による時定数によりＩＦ帯域を狭帯域に切り換え、また元の広帯域に戻す。これによりＩＦ帯域制御回路１２は、音質の劣化を極力排して、隣接妨害によるノイズの混入を有効に回避するようになされている。
【００２９】
ここで時定数回路１３は、例えばＩＦ帯域制御回路１２におけるＩＦ帯域の切り換え制御に係る端子を接地するコンデンサＣ１と抵抗Ｒ１とによる並列回路により構成される。時定数回路１３は、この並列回路に、抵抗Ｒ２とトランジスタＱ１とによる直列回路が並列に設けられ、これによりトランジスタＱ１をオン状態に切り換えることにより、並列回路に抵抗Ｒ２を並列に接続し、この並列回路による時定数を短くすることができるようになされている。
【００３０】
ＩＦ帯域制御回路１２は、ノイズの検出をトリガにしてこの時定数回路１３のコンデンサＣ１に充電電流の供給を開始し、この充電電流によりコンデンサＣ１の端子電圧が所定電圧に立ち上がると、ＩＦ帯域を狭帯域に切り換えるようになされている。この実施の形態では、ノイズが検出されてＩＦ帯域を短時間で狭帯域に切り換えることができるように、例えばこの充電電流、コンデンサＣ１等の容量が設定されるようになされている。
【００３１】
またＩＦ帯域制御回路１２は、このようにしてコンデンサＣ１の端子電圧が所定電圧に立ち上がると、充電電流の供給を停止する。これによりＩＦ帯域制御回路１２は、コンデンサＣ１に並列接続されてなる抵抗Ｒ１、又は抵抗Ｒ１、Ｒ２の並列回路によりコンデンサＣ１の蓄積電荷を放電させ、この放電によりコンデンサＣ１の端子電圧が所定電圧に立ち下がると、ＩＦ帯域を広帯域に戻すようになされている。なおＩＦ帯域制御回路１２は、このようなコンデンサＣ１が放電状態に保持されている状態で、改めてノイズが検出されると、充電電流の供給を開始し、これによりバースト状にノイズが混入した場合、さらには短い間隔によりパルス状にノイズが混入した場合、これらノイズが混入し続けている期間の間、ＩＦ帯域を狭帯域に保持するようになされている。
【００３２】
これらによりＩＦ帯域制御回路１２は、トランジスタＱ１がオン状態に設定されている場合には、ＩＦ帯域を狭帯域に切り換えた後、元の広帯域に戻すまでの期間を、例えばＩＦ帯域の狭帯域への切り換えに要する時間とほぼ同一の３〔ｍｓｅｃ〕未満の短い期間に設定するようになされている。またトランジスタＱ１がオフ状態に設定されている場合には、これらの期間を１０〔ｍｓｅｃ〕以上の長い期間に設定するようになされている。
【００３３】
操作子１４は、このカーラジオ１のリモートコマンダー、操作パネルに設けられ、ユーザーによる操作がマイコン４に通知されるようになされている。
【００３４】
マイコン４は、図示しないメモリに記録した所定の処理手順を実行するコンピュータであり、この処理手順の実行によりカーラジオ１全体の動作を制御し、またＲＤＳデコーダ１１から出力される各種の情報を図示しない表示部で表示してユーザーに通知する。
【００３５】
すなわちマイコン４は、ユーザーにより電源が立ち上げられると、メモリに保持した電源立ち下げ直前の状態により各部の動作を立ち上げ、これにより放送波の受信を開始してスピーカ１０から音声を出力する。またユーザーによる受信チャンネルの切り換えの指示により、フロントエンド２に受信周波数の切り換えを指示し、また信号処理回路８に音声出力のミューティングを指示し、受信周波数の切り換え完了によりミューティングの解除を指示する。
【００３６】
このような制御による放送波の受信において、マイコン４は、時定数回路１３のトランジスタＱ１をオフ状態に保持する。これによりこのカーラジオ１では、隣接妨害等による中間周波信号にノイズが混入すると、即座にＩＦ帯域を狭帯域に切り換えてこの混入したノイズをスピーカ１０から出力しないようにし、またこのようにしてＩＦ帯域が狭帯域に切り換わると、一定の時間経過により元の広帯域に戻すようになされ、ＩＦ帯域の頻繁な切り換えによる違和感を防止するようになされている。
【００３７】
これに対してユーザーにより自動選局の機能に係る処理の１つであるシークの処理が指示されると、図１に示す処理手順の実行により受信周波数をスキャンして放送波を自動選局する。すなわちマイコン４は、電源の立ち上げによりステップＳＰ１からステップＳＰ２に移り、上述したようにトランジスタＱ１をオフ状態に設定して放送波を受信する。
【００３８】
この状態でステップＳＰ２からステップＳＰ３に移り、ユーザーによりシークの操作子が操作されると、マイコン４は、続くステップＳＰ４において、信号処理回路８にミューティングを指示する。また続くステップＳＰ５において、ＩＦ帯域を広帯域に切り換える際の時定数を小さな側に設定する。
【００３９】
続いてマイコン４は、ステップＳＰ６において、フロントエンド２に受信周波数のスキャン開始を指示する。これによりこのカーラジオ１では、順次受信周波数を可変し、シグナルメーター回路１５で検出される検出結果の立ち上がりによりフロントエンド２における受信周波数のスキャンを停止し、これによりそれまで受信中の受信周波数に対して周波数が隣接してなる十分な電界強度による放送波が存在する場合には、この放送波を選局するようになされている。
【００４０】
続いてマイコン４は、ステップＳＰ７において、このようなシグナルメーターに係る判定基準により放送波を選局し得たか否か判断し、ここで肯定結果が得られると、ステップＳＰ８に移り、ＩＦカウント回路１６で検出される中間周波信号の周波数カウント結果に基づいて、正しく放送波を受信できているか否か判断する。ここで肯定結果が得られると、マイコン４は、ステップＳＰ９に移り、トランジスタＱ１をオフ状態に設定して時定数回路１３の時定数を長く設定し、続くステップＳＰ１０において、信号処理回路８にミューティングの解除を指示し、ステップＳＰ１１に移ってこの処理手順を終了する。
【００４１】
これによりこのカーラジオ１では、シークに係る処理においては、ＩＦ帯域を切り換える時定数を短い時定数に設定し、ＩＦ帯域の広帯域への切り換えを短時間により実行して、放送波を自動選局するようになされている。
【００４２】
これに対してステップＳＰ７で否定結果が得られると、マイコン４は、ステップＳＰ７からステップＳＰ１２に移る。また同様にステップＳＰ８で否定結果が得られると、マイコン４は、ステップＳＰ８からステップＳＰ１２に移る。このステップＳＰ１２において、マイコン４は、受信可能周波数帯域の全てについてスキャンを完了したか否か判断し、ここで否定結果が得られると、ステップＳＰ６に戻り、フロントエンド２に再度のスキャンを指示する。これに対してステップＳＰ１２で肯定結果が得られると、マイコン４は、ステップＳＰ１２からステップＳＰ９に移り、トランジスタＱ１をオフ状態に設定して時定数回路１３の時定数を長く設定し、続くステップＳＰ１０において、信号処理回路８にミューティングの解除を指示し、ステップＳＰ１１に移ってこの処理手順を終了する。
【００４３】
これに対してマイコン４は、ユーザーにより自動選局の機能に係る処理の１つであるスキャンの処理が指示されると、図１に示す処理手順と同様に、信号処理回路８にミューティングを指示した後、時定数回路１３の時定数を短く設定し、それまで受信中の受信周波数に対して周波数が隣接してなる十分な電界強度による放送波を選局する。またこのようにして放送波を選局して所定時間（５秒程度）経過すると、再び信号処理回路８にミューティングを指示した後、時定数回路１３の時定数を短く設定し、それまで受信中の受信周波数に対して周波数が隣接してなる十分な電界強度による放送波を選局する。マイコン４は、この処理を繰り返すことにより受信可能な周波数帯域について、順次、一定の時間間隔により自動的に放送波を選局する。
【００４４】
これに対してユーザーにより自動選局の機能に係る処理の１つであるベストチューニングメモリの処理が指示されると、マイコン４は、スキャンの処理と同様にして受信可能な周波数帯域内で順次受信周波数をスキャンして放送波を順次選局し、この選局に係る受信周波数をメモリに記録する。マイコン４は、このようにしてメモリに記録した受信周波数によりユーザーによる放送波の選択を受け付けるようになされている。
【００４５】
マイコン４は、このベストチューニングメモリの処理においても、時定数回路１３の時定数を短く設定して放送波を自動選局するようになされ、これにより短時間で確実に放送波を選局できるようになされている。
【００４６】
これに対してＲＤＳ放送によるチェックの操作子が操作されると、マイコン４は、図３の処理手順の実行により、同一のデータ放送に係る放送局の受信を試み、この放送局と現在受信中の放送局との受信状態の比較により受信状態のよい放送波を選局する。
【００４７】
すなわちマイコン４は、ステップＳＰ２１からステップＳＰ２２に移って上述したようにＩＦ帯域を広帯域に切り換える場合の時定数を大きな側に設定して放送波を受信し、この状態でステップＳＰ２２からステップＳＰ２３に移り、ユーザーによりＲＤＳ放送によるチェックの操作子が操作されると、続くステップＳＰ２４において、信号処理回路８にミューティングを指示する。また続くステップＳＰ２５において、ＩＦ帯域を広帯域に切り換える際の時定数を小さな側に設定する。
【００４８】
続いてマイコン４は、ステップＳＰ２６において、ＲＤＳデコーダ１１から取得されたデータにより同一のデータ放送に係る他の放送波の周波数を検出し、この周波数に係る放送波の受信をフロントエンド２に指示する。また続くステップＳＰ２７において、シグナルメーター回路１５で検出される判定基準により、受信を指示した放送波を十分な電界強度で受信し得ているか否か判断し、ここで肯定結果が得られると、ステップＳＰ２８に移る。ここで品質検出回路１７の受信品質の検出結果に基づいて、さらにはＲＤＳデコーダ１１におけるエラーレートにより、それまで受信していた放送波に比して十分な品質によりデータ受信できるか否か判断する。
【００４９】
ここで肯定結果が得られると、マイコン４は、ステップＳＰ２８からステップＳＰ２９に移り、時定数回路１３の時定数を長い側に切り換え、続くステップＳＰ３０において、信号処理回路８にミューティングの解除を指示した後、ステップＳＰ３１に移ってこの処理手順を終了する。
【００５０】
これに対してステップＳＰ２７で否定結果が得られると、マイコン４は、ステップＳＰ２７からステップＳＰ３２に移る。また同様にステップＳＰ２８で否定結果が得られると、マイコン４は、ステップＳＰ２８からステップＳＰ３２に移る。このステップＳＰ３２において、マイコン４は、受信可能周波数帯域の全てについてデータ放送に係る他の放送波の確認を完了したか否か判断し、ここで否定結果が得られると、ステップＳＰ２６に戻り、フロントエンド２に改めて残る他の放送波の受信を指示する。これに対してステップＳＰ３２で肯定結果が得られると、マイコン４は、ステップＳＰ３２からステップＳＰ２９に移り、トランジスタＱ１をオフ状態に設定して時定数回路１３の時定数を長く設定し、続くステップＳＰ３０において、信号処理回路８にミューティングの解除を指示し、ステップＳＰ３１に移ってこの処理手順を終了する。
【００５１】
（２）実施の形態の動作
以上の構成において、このカーラジオ１では（図２）、操作子１４の操作に応じたマイコン４によるフロントエンド２の制御によりアンテナ３で受信される各種の放送波が選局されて中間周波信号に変換され、この中間周波信号が中間周波増幅回路５により帯域制限されて所定利得で増幅され、続く検波回路７により検波される。カーラジオ１では、この検波回路７の検波結果が信号処理回路８で処理されてオーディオ信号が再生され、このオーディオ信号が増幅回路９を介してスピーカ１０より出力される。これによりこのカーラジオ１では、各種の放送を試聴することが可能となる。また検波回路７の検波結果がＲＤＳデコーダ１１により処理されてデータ放送に係る各種データが再生され、このデータがマイコン４に入力され、これによりＲＤＳ方法に係る各種のデータをマイコン４を介してユーザーに提供することができる。
【００５２】
このようにして放送波を受信している際に、隣接妨害等によるノイズが中間周波信号に混入すると、このノイズの混入が中間周波増幅回路５で検出され、このノイズをトリガにしてＩＦ帯域制御回路１２により中間周波増幅回路５のＩＦ帯域が狭帯域に切り換えられる。またこのようにしてＩＦ帯域を狭帯域に切り換えて、一定時間以上ノイズが混入しない場合には、ＩＦ帯域が元の広帯域に戻される。カーラジオ１では、このＩＦ帯域の切り換えにおいて、ＩＦ帯域を広帯域から狭帯域に切り換える場合には、ノイズの検出により短時間でＩＦ帯域を狭帯域に切り換え、これにより混入したノイズのスピーカ１０からの出力が防止される。
【００５３】
またＩＦ帯域を広帯域に戻す場合には、マイコン４により時定数回路１３のトランジスタＱ１がオフ状態に保持されていることより、ノイズの検出からＩＦ帯域を狭帯域に切り換えるまでの時間に比して長い時間経過により、ＩＦ帯域を広帯域に戻し、これにより頻繁な帯域の切り換えを有効に回避して、帯域の頻繁な切り換えによる聴感の劣化が防止される。
【００５４】
これに対してユーザーにより自動選局が指示されると、カーラジオ１では、マイコン４によりトランジスタＱ１がオン状態に設定され、これによりこのようなＩＦ帯域の広帯域への切り換えに要する時間を設定する時定数回路１３の時定数が短くなるように設定され、通常の放送波の受信においてＩＦ帯域を狭帯域から広帯域に切り換える場合に比して、短い時間によりＩＦ帯域を広帯域に戻すことができるように設定され、この状態で自動選局の処理が実行される。これによりこのカーラジオ１では、受信周波数を可変して放送波を選局する処理においては、放送波を受信している場合に比して、通過帯域幅を狭帯域から広帯域へ戻す時間を短時間により実行するように設定して放送波を選局するようになされ、その分、放送波の誤選局を有効に回避して、短時間で放送波を選局することができるようになされている。
【００５５】
すなわちサーチにより放送波を選局する場合には、ユーザーによる操作子の操作により、音声出力をミューティングして、また通過帯域幅を狭帯域から広帯域へ戻す時間が短時間になるように設定して、フロントエンド２における受信周波数が順次可変される。この場合、受信周波数の可変によりそれまで受信していた放送波が受信されなくなると、中間周波信号にノイズが混入することによりＩＦ帯域制御回路１２により中間周波増幅回路５の通過帯域幅が短時間で狭帯域に切り換えられ、またその後、ノイズの混入が続くことにより、この状態が維持される。またさらなる受信周波数の可変により隣接する放送波の周波数まで受信周波数が変化すると、この放送波による中間周波信号が中間周波増幅回路５に入力され、シグナルメーター回路１５で検出される中間周波信号の信号レベルが立ち上がることにより、フロントエンド２における受信周波数の可変が停止制御され、これにより隣接する放送波が選局される。この場合、カーラジオ１では、中間周波信号へのノイズの混入が無くなると、ＩＦ帯域が短時間で狭帯域から広帯域に切り換わり、広帯域により検波回路７で中間周波信号の信号レベルが検出される。これによりこのカーラジオ１では、実際の受信状態においてシグナルメーターによる受信状態を判断して放送波を選局し得、受信状態のよい放送波を選局できないような場合を有効に回避することができる。
【００５６】
カーラジオ１では、この場合、さらに中間周波信号の周波数がＩＦカウント回路１６で検出され、これにより正常に放送波を受信しているか否か判断される。また正常に放送波を受信していない場合、すなわち隣接妨害により中間周波信号の信号レベルが立ち上がって放送波を選局した場合、改めてフロントエンド２において受信周波数のスキャンが開始され、これにより受信状態の劣る放送波の選局が防止される。
【００５７】
またスキャンにより放送波を選局する場合、すなわち受信可能な周波数帯域で受信周波数を可変して、放送波を順次選局する処理の場合、サーチと同様な選局の処理が、受信可能な周波数帯域で繰り返され、これによりこの場合も受信状態のよい放送波を選局できないような場合、受信状態の劣る放送波を選局する場合が防止されて、短時間で選局の処理を実行することができる。
【００５８】
また受信可能な周波数帯域で受信周波数を可変して、放送波を順次選局して、該放送波の受信周波数をメモリに記録する場合、スキャンの場合と同様にして放送波を選局し、選局した放送波の周波数がメモリに記録される。これによりこの場合も、受信状態のよい放送波を選局できないような場合、受信状態の劣る放送波を選局する場合が防止されて、短時間で選局の処理を実行することができる。
【００５９】
これに対してＲＤＳ放送に係るチェックの操作子が操作されると、音声出力がミューティングされた後、ＲＤＳデコーダ１１で受信されるデータ放送に係る情報に基づいて、同一のデータ放送に係る放送波の受信がフロントエンド２に指示される。これによりこの場合も、選局中においては、中間周波信号へのノイズの混入によりＩＦ帯域が狭帯域に切り換わり、フロントエンド２における受信周波数の切り換えが完了し、この受信周波数に係る放送波が十分な電界強度で、かつ隣接妨害やマルチパスが無い場合には、中間周波信号へのノイズの混入が無く、ＩＦ帯域が短時間で広帯域に切り換わる。
【００６０】
カーラジオ１では、これによりこの受信周波数による放送波について、シグナルメーター回路１５で検出されるシグナルメーターによる判定基準により十分な電界強度であるか否か判断され、十分な電界強度による場合には、さらにＲＤＳデコーダ１１によるエラーレートや品質検出回路１７による受信品質の検出結果によりそれまで受信していた放送波に比して良好に受信し得るか否か検出され、十分な電界強度で、かつ十分な品質によりこの放送波を受信できる場合、すなわち隣接妨害によるノイズ等が混入していない場合、この切り換えた放送波によりＲＤＳ放送に係る放送波が受信される。またこのようにして十分な電界強度で、かつ十分な品質によりこの放送波を受信できない場合、他のデータ放送に係る放送波の受信が同様にして試みられ、放送波が選局される。
【００６１】
これによりこの場合も、短時間で放送波を選局して、放送波の誤選局を有効に回避することができる。
【００６２】
（３）実施の形態の効果
以上の構成によれば、放送波を受信している場合に比して、狭帯域から広帯域に短時間でＩＦ帯域を切り換えることにより、選局動作時においても通常の放送波の受信時と同等のシグナルメーターの値を確保でき、これにより放送波の誤選局を有効に回避して、短時間で放送波を選局することができる。
【００６３】
またこのようなＩＦ帯域の設定を、それまで受信している放送波に隣接する放送波を選局する処理に適用することにより、又は受信可能な周波数帯域で受信周波数を可変して、放送波を順次選局する処理に適用することにより、さらには受信可能な周波数帯域で受信周波数を可変して、放送波を順次選局して、該放送波の受信周波数をメモリに記録する処理に適用することにより、各処理に係る自動選局の処理を短時間で実行して放送波の誤選局を有効に回避することができる。
【００６４】
またこのようなＩＦ帯域の設定を、同一のデータ放送に係る放送波を選局する処理に適用することにより、ＲＤＳ放送等のデータ多重放送の受信に適用して、自動選局の処理を短時間で実行して放送波の誤選局を有効に回避することができる。
【００６５】
（４）他の実施の形態
なお上述の実施の形態においては、それぞれ広帯域への切り換えを２つの時定数により設定する場合について述べたが、本発明はこれに限らず、要は自動選局時、放送波の受信時に比して短時間で広帯域に切り換えるようにして上述の実施の形態と同様の効果を得ることができる。
【００６６】
また上述の実施の形態においては、本発明をカーラジオに適用する場合について述べたが、本発明はこれに限らず、ホームステレオのＦＭ受信装置等、種々の受信装置に広く適用することができる。
【００６７】
【発明の効果】
上述のように本発明によれば、放送波を受信している場合に比して、狭帯域から広帯域に短時間でＩＦ帯域を切り換えることにより、放送波の誤選局を有効に回避して、短時間で放送波を選局することができる。
【図面の簡単な説明】
【図１】本発明の実施の形態に係るカーラジオにおけるスキャン時の処理手順を示すフローチャートである。
【図２】本発明の実施の形態に係るカーラジオを示すブロック図である。
【図３】図２のカーラジオにおけるデータ放送に係るチェックの処理手順を示すフローチャートである。
【符号の説明】
１……カーラジオ、２……フロントエンド、４……マイコン、５……中間周波増幅回路、７……検波回路、１２……ＩＦ帯域制御回路、１３……時定数回路、１５……シグナルメーター回路、１６……ＩＦカウント回路、１７……品質検出回路
【図１】
2004363992.tif 000003
【図２】
2004363992.tif 000004
【図３】
2004363992.tif 000005